(57)【特許請求の範囲】
【請求項１】
底面を有する下ケース体及び前記下ケース体に対して着脱自在な上ケース体を備える本体と、
前記上ケース体及び前記下ケース体によって前記本体に対して保持されている車輪と、
前記車輪と一体となって回転する車軸と、
前記下ケース体に接続された継手と、
を備え、
前記車輪は、前記下ケース体に対して前記上ケース体が取り外されると着脱自在となり、
前記車輪の少なくとも一部は、前記底面に接する仮想平面から突出し、
前記下ケース体は、前記仮想平面から少なくとも一部が突出する突出部を有し、
前記本体は、前記下ケース体と一体となっている凹部及び前記上ケース体と一体になっている凸部を有し、
前記車軸は、前記凹部と前記凸部とによって挟まれた状態で保持され、
前記上ケース体が取り外された前記下ケース体が平坦面に置かれると、前記凹部に収められた前記車軸の上端は前記凹部の上端よりも下方に位置する吸込具。
【請求項２】
前記凹部の上部には、前記凸部が収められる空間が形成されており、
前記上ケース体が取り外された前記下ケース体が平坦面に置かれると、前記凹部に収められた前記車軸の上端は前記凸部が収められる空間の下方に位置する請求項１に記載の吸込具。
【請求項３】
底面を有する下ケース体及び前記下ケース体に対して着脱自在な上ケース体を備える本体と、
前記上ケース体及び前記下ケース体によって前記本体に対して保持されている車輪と、
前記下ケース体に接続された継手と、
を備え、
前記車輪は、前記下ケース体に対して前記上ケース体が取り外されると着脱自在となり、
前記車輪の少なくとも一部は、前記底面に接する仮想平面から突出し、
前記下ケース体は、前記仮想平面から少なくとも一部が突出する突出部を有し、
前記下ケース体が平坦面に置かれると、前記車輪は前記平坦面から離れている吸込具。
【請求項４】
前記下ケース体には吸込口が形成され、
前記下ケース体は、被清掃物と前記吸込口との間に風路を形成することによって前記被清掃物が前記吸込口に吸着されることを防止する複数の吸着防止部を有し、
前記複数の吸着防止部は、左右方向に並んで配置され、
前記突出部は、前記複数の吸着防止部に並んで配置される請求項１から請求項３の何れか１項に記載の吸込具。
【請求項５】
前記突出部が前記仮想平面から突出している長さは、前記車輪が前記仮想平面から突出している長さよりも大きい請求項１から請求項４の何れか１項に記載の吸込具。
【請求項６】
請求項１から請求項５の何れか１項に記載の吸込具及び掃除機本体を備える電気掃除機
【発明の詳細な説明】
【技術分野】
【０００１】
本発明は、吸込具及びこの吸込具を備えた電気掃除機に関する。
【背景技術】
【０００２】
特許文献１に、ほこりなどの物を吸い込むことによって掃除を行う装置の例として、寝具用殺菌装置が記載されている。特許文献１に記載の寝具用殺菌装置は、装置の本体を構成するハウジング及び車輪を備える。この車輪は、ハウジングの底面から突出した状態で設けられる。底面から突出した車輪は、被清掃面上を転がる。
【先行技術文献】
【特許文献】
【０００３】
【特許文献１】特許第４５３３９５５号公報
【発明の概要】
【発明が解決しようとする課題】
【０００４】
物を吸い込む装置の本体は、例えば下ケース体及びこの下ケース体に対して着脱自在な上ケース体によって構成される。例えば下ケース体及び上ケース体によって、車輪が本体に対して保持される。この車輪は、例えば下ケース体に対して上ケース体が取り外されると着脱自在となるように構成される。このような構成であれば、使用者は、車輪を容易に着脱することができる。
【０００５】
上記のように車輪が容易に着脱可能となる構成を、上記特許文献１に記載の装置のように車輪が底面から突出している装置に採用した場合、上ケース体が取り外された状態で装置が平坦面に置かれると、車輪は下ケースよりも先に平坦面に当たる。これにより車輪は、下ケースに対して上方に移動する。上方に移動した車輪は、上ケース体の組み付けを妨げてしまう。
【０００６】
本発明は、上記のような課題を解決するためになされたものである。本発明の目的は、車輪が容易に着脱可能であり且つ組み付けがより容易である吸込具と、この吸込具を備えた電気掃除機と、を提供することである。
【課題を解決するための手段】
【０００７】
本発明に係る吸込具は、底面を有する下ケース体及び下ケース体に対して着脱自在な上ケース体を備える本体と、上ケース体及び下ケース体によって本体に対して保持されている車輪と、車輪と一体となって回転する車軸と、下ケース体に接続された継手と、を備える。車輪は、下ケース体に対して上ケース体が取り外されると着脱自在となる。車輪の少なくとも一部は、下ケース体の底面に接する仮想平面から突出している。下ケース体は、底面に接する仮想平面から少なくとも一部が突出する突出部を有する。本体は、下ケース体と一体となっている凹部及び上ケース体と一体になっている凸部を有する。車軸は、上記の凹部と凸部とによって挟まれた状態で保持される。上ケース体が取り外された下ケース体が平坦面に置かれると、凹部に収められた車軸の上端は凹部の上端よりも下方に位置する。
また、本発明に係る吸込具は、底面を有する下ケース体及び下ケース体に対して着脱自在な上ケース体を備える本体と、上ケース体及び下ケース体によって本体に対して保持されている車輪と、下ケース体に接続された継手と、を備える。車輪は、下ケース体に対して上ケース体が取り外されると着脱自在となる。車輪の少なくとも一部は、下ケース体の底面に接する仮想平面から突出している。下ケース体は、底面に接する仮想平面から少なくとも一部が突出する突出部を有する。そして、下ケース体が平坦面に置かれると、車輪は平坦面から離れている。
【０００８】
本発明に係る電気掃除機は、上記の吸込具及び掃除機本体を備えるものである。
【発明の効果】
【０００９】
本発明に係る吸込具及び電気掃除機は、下ケース体に対して上ケース体が取り外されると着脱自在となる車輪を備える。また下ケース体は、底面に接する仮想平面から少なくとも一部が突出する突出部を有する。これにより、本発明に係る吸込具及び電気掃除機は、車輪が容易に着脱可能であり且つ組み付けがより容易である。
【図面の簡単な説明】
【００１０】
【図１】実施の形態１の吸込具を備えた電気掃除機の斜視図である。
【図２】実施の形態１の吸込具を示す前方斜視図である。
【図３】実施の形態１の吸込具を示す後方斜視図である。
【図４】実施の形態１の吸込具を示す平面図である。
【図５】実施の形態１の吸込具を示す底面図である。
【図６】実施の形態１の吸込具を示す正面図である。
【図７】実施の形態１の吸込具本体と継手と抜止片とを分解した状態を示す斜視図である。
【図８】実施の形態１の吸込具の継手が回転した状態の斜視図である。
【図９】実施の形態１の上ケース体の後部が取り外された状態の吸込具を示す斜視図である。
【図１０】実施の形態１の上ケース体が取り外された吸込具を示す斜視図である。
【図１１】実施の形態１の上ケース体が取り外された吸込具の後方分解斜視図である。
【図１２】実施の形態１の上ケース体が取り外された吸込具の前方分解斜視図である。
【図１３】実施の形態１の継手が接続された下ケース体を示す平面図である。
【図１４】実施の形態１の上ケース体の底面図である。
【図１５】実施の形態１の上ケース体の上面側を示す斜視図である。
【図１６】実施の形態１の上ケース体の底面側を示す斜視図である。
【図１７】実施の形態１の吸込具の内部の風路を示す断面イメージ図である。
【図１８】実施の形態１の吸込具が平坦面に置かれた状態を示す側面図である。
【図１９】実施の形態１の吸込具が平坦面に置かれた状態を示す縦断面イメージ図である。
【図２０】実施の形態１の吸込具が平坦面に置かれた状態での車軸周辺を示す縦断面イメージ図である。
【図２１】実施の形態１の上ケース体が取り外された吸込具が平坦面に置かれた状態での車軸周辺を示す縦断面イメージ図である。
【発明を実施するための形態】
【００１１】
以下、添付の図面を参照して、実施の形態について説明する。尚、各図における同一部分または相当部分には、同一の符号を付して、重複する説明を簡略化または省略する。
【００１２】
実施の形態１．
図１は、実施の形態１の吸込具を備えた電気掃除機の斜視図である。電気掃除機は、例えば掃除機本体１、吸引ホース２、接続パイプ３、ハンドル体４、延長管５及び吸込具６を備えている。
【００１３】
掃除機本体１は、例えば電動送風機及び集塵部を有する装置である。吸引ホース２、接続パイプ３、ハンドル体４及び延長管５は、それぞれ内部に風路を有する部品である。掃除機本体１には、吸引ホース２の一端が接続される。吸引ホース２の他端は、接続パイプ３及びハンドル体４を介し、延長管５の一端に接続される。延長管５の他端には、吸込具６が接続される。
【００１４】
本実施の形態の吸込具６は、吸込具本体７及び継手８を有する。吸込具本体７は、吸込具６の筐体に相当する部分である。継手８は、内部に風路を有する部品である。吸込具本体７は、継手８を介して延長管５に接続される。すなわち継手８は、吸込具本体７及び延長管５に接続される。本実施の形態において継手８は、先端部が吸込具本体７に、基端部が延長管５に接続される。
【００１５】
吸込具６は、空気と共に塵埃を吸い込む装置である。ここで、例えばゴミ、塵埃、毛髪、繊維等のように、吸込具６の清掃対象となる物質を総称して塵埃と表記することとする。吸込具６は、例えば被清掃物に付着した塵埃を吸い込む。本実施の形態の吸込具６の被清掃物は、例えばふとん等の軟質の物である。なお吸込具６の被清掃物は、本例以外にも、例えば床面等の硬質の物であってもよい。
【００１６】
以下、吸込具６について、図面を参照してより具体的に説明する。図２は、実施の形態１の吸込具６を示す前方斜視図である。図３は、実施の形態１の吸込具６を示す後方斜視図である。図４は、実施の形態１の吸込具６を示す平面図である。図５は、実施の形態１の吸込具６を示す底面図である。図６は、実施の形態１の吸込具６を示す正面図である。
【００１７】
本実施の形態の吸込具本体７は、例えば下ケース体９及び上ケース体１０を有する。ここで本実施の形態においては、吸込具本体７の中心に対して下ケース体９が位置している方向を下方向とする。また吸込具本体７の中心に対して上ケース体１０が位置している方向を上方向とする。すなわち下ケース体９は、吸込具本体７の下側を形成する部分である。上ケース体１０は、吸込具本体７の上側を形成する部分である。
【００１８】
また本実施の形態では、吸込具本体７の長手方向、すなわち下ケース体９及び上ケース体１０の長手方向を左右方向とする。以下では、吸込具本体７の長手方向を単に長手方向と記載する。また、吸込具本体７に対して継手８が設けられる方向を、後方向とする。使用時に、使用者が主に動かすことが想定される方向を前方向、すなわち正面方向とする。
【００１９】
下ケース体９は、使用時に被清掃物に対向する底面１１を有する。すなわち底面１１は、下ケース体９の下部を形成している。下ケース体９の底面１１には、塵埃を含んだ空気を吸い込むための吸込口１２が形成されている。
【００２０】
また下ケース体９は、一例として吸着防止リブ１３を有していてもよい。吸着防止リブ１３は、例えばふとん及びシーツ等の軟質の被清掃物が吸込口１２に吸着されることを防止するものである。本実施の形態の吸着防止リブ１３は、吸着防止部の一例である。
【００２１】
下ケース体９は、一例として図２、図５及び図６に示すように、複数の吸着防止リブ１３を有する。吸着防止リブ１３は、例えば下ケース体９の下方に向けて突出するように形成される。吸着防止リブ１３は、例えば吸込口１２の前方に形成される。吸着防止リブ１３は、例えば左右方向に並んで配置される。
【００２２】
吸着防止リブ１３は、被清掃物と底面１１との間に隙間を形成する。吸着防止リブ１３は、被清掃物と吸込口１２との間に風路を形成する。これにより、吸着防止リブ１３は、被清掃物が吸込口１２に吸着されることを防止する。
【００２３】
また下ケース体９は、例えば高さ増加リブ１４を有していてもよい。高さ増加リブ１４は、例えば吸着防止リブ１３に並んで配置されている。高さ増加リブ１４は一例として、２つ形成される。２つの高さ増加リブ１４は、例えば吸着防止リブ１３の左方及び右方にそれぞれ配置される。高さ増加リブ１４は、例えば図６に示すように、吸着防止リブ１３よりも下方に突出している。
【００２４】
本実施の形態の高さ増加リブ１４は、底面１１が接する仮想平面Ｂよりも少なくとも一部が突出するように形成される。高さ増加リブ１４は、突出部の一例である。
【００２５】
上ケース体１０は、例えば下ケース体９に対して着脱自在に形成されている。吸込具６は、一例として着脱レバー１５を備える。着脱レバー１５は、例えば図２から図５に示すように、上ケース体１０に設けられる。着脱レバー１５は、上ケース体１０を下ケース体９に対して着脱させる手段の一例である。使用者は、例えばこの着脱レバー１５を操作することによって、上ケース体１０を下ケース体９に対して自在に着脱させることができる。
【００２６】
一例として上ケース体１０の後部には、レバー保持部１６が形成される。レバー保持部１６は、例えば２つ形成される。レバー保持部１６は、例えば上ケース体１０の後部の左側及び右側に形成される。吸込具６は、一例として２つの着脱レバー１５を備える。２つの着脱レバー１５は、それぞれこのレバー保持部１６に設けられる。
【００２７】
本実施の形態において着脱レバー１５は、上記のように、一例として上ケース体１０の後部に設けられる。なお着脱レバー１５は、例えば下ケース体９に設けられてもよい。またレバー保持部１６は、例えば上ケース体１０の最上部よりも低い位置となるように形成されてもよい。すなわち着脱レバー１５は、上ケース体１０の最上部よりも低い位置に配置されてもよい。
【００２８】
また上ケース体１０の上部には、吸込力調整孔１７が形成されていてもよい。吸込力調整孔１７は、上ケース体１０の上部を貫通している。吸込力調整孔１７は、吸込具６が空気を吸い込む力を調整するために設けられる。この吸込力調整孔１７によって、例えば空気を吸い込む力が過度に強くなることが防止される。これにより、例えばふとん及びシーツ等の軟質の被清掃物が吸込口１２に吸着されることが防止される。
【００２９】
また平面視において本実施の形態の吸込具本体７の前部は、一例として図４及び図５に示すように、円弧状に形成されている。すなわち下ケース体９及び上ケース体１０の前部は、平面視において円弧状である。なお、下ケース体９及び上ケース体１０の形状は、本例に限定されるものではない。
【００３０】
上述のように吸込具６は、内部に風路を有する継手８を備える。継手８の先端部は、吸込具本体７の後部に接続される。本実施の形態の継手８は、継手円筒部１８を有する。継手円筒部１８は、円筒状の部分である。継手円筒部１８は、継手８の先端部に形成される。継手円筒部１８は、吸込具本体７の後部に接続される部分である。
【００３１】
また本実施の形態の吸込具６は、一例として抜止片１９を備えてもよい。抜止片１９は、吸込具本体７と継手８とを互いに抜け止めされた状態で接続させる部品である。また抜止片１９は、吸込具本体７と継手８とを、互いに回転可能な状態で接続させる。抜止片１９は、例えば吸込具本体７の後部及び継手円筒部１８に嵌め込まれる。
【００３２】
図７は、実施の形態１の吸込具本体７と継手８と抜止片１９とを分解した状態を示す斜視図である。吸込具本体７は、継手８に接続される接続部の一例として、本体円筒部２０を有する。本体円筒部２０は円筒状の部位である。本体円筒部２０の内部には、風路が形成される。本体円筒部２０は、吸込口１２に連通している。
【００３３】
すなわち吸込具本体７の内部には、吸込口１２から本体円筒部２０にかけて風路が形成されている。吸込具６及びこの吸込具６を備えた電気掃除機は、吸込口１２から本体円筒部２０にかけて空気を吸引することによって、被清掃物の清掃を行う装置である。
【００３４】
本体円筒部２０は、例えば吸込具本体７の後部の中央部に形成される。また本実施の形態において本体円筒部２０は、一例として下ケース体９の一部として形成される。すなわち下ケース体９は、本体円筒部２０を有する。本体円筒部２０は、下ケース体９の後部の中央部に形成される。
【００３５】
本実施の形態において本体円筒部２０は、継手円筒部１８に挿入される。本体円筒部２０と継手円筒部１８とは、互いの中心軸が同軸上になるように配置される。すなわち、継手円筒部１８は、本体円筒部２０の外周に位置する。
【００３６】
なお継手円筒部１８及び本体円筒部２０は、一方が他方に挿入されていればよい。例えば、継手円筒部１８が本体円筒部２０に挿入されてもよい。すなわち、継手円筒部１８は、本体円筒部２０の内周に位置していてもよい。
【００３７】
本体円筒部２０は、図７に示すように溝部２１を有する。溝部２１は、本体円筒部２０の外周に渡って形成される。溝部２１は、本体円筒部２０の径方向外方に向かって凹状となっている部位である。溝部２１は、例えば本体円筒部２０の周方向に沿って形成される。溝部２１は、例えば本体円筒部２０の軸方向の平面視において環状になっている。
【００３８】
また継手円筒部１８は、例えば図７に示すように孔部２２を有する。本実施の形態の孔部２２は、一部に貫通孔２２ａを含む。貫通孔２２ａは、継手円筒部１８の径方向に沿って貫通している。貫通孔２２ａは、本体円筒部２０が継手円筒部１８に挿入された状態のとき、溝部２１に対向する。なお孔部２２は、少なくとも一部が貫通していればよい。例えば本実施の形態以外にも、孔部２２は全体が貫通している孔状の部位であってもよい。
【００３９】
本実施の形態の抜止片１９は、一例として、本体円筒部２０の軸方向から見たときに円弧状の形状になっている。抜止片１９は、一例として、継手円筒部１８及び本体円筒部２０の周方向に沿った形になっている。また抜止片１９は、溝部２１及び孔部２２の形状に合わせた形に形成される。
【００４０】
溝部２１及び孔部２２の形状に合わせた形の抜止片１９は、溝部２１及び孔部２２に嵌め込まれる。一例として抜止片１９は、一端側が溝部２１に、他端側が孔部２２に嵌め込まれる。例えば抜止片１９は、組み付けられる際、一端部が孔部２２の貫通孔２２ａを介して溝部２１に嵌め込まれる。
【００４１】
溝部２１及び孔部２２に嵌め込まれた抜止片１９によって、吸込具本体７と継手８とは、互いに回転可能な状態で接続される。図８は、実施の形態１の吸込具６の継手８が回転した状態を示す斜視図である。本実施の形態の継手８は、一例として図８に示すように、継手８の基端部が吸込具本体７に対して水平左斜め後方に向くまで回転可能となっている。
【００４２】
また継手８は、例えば図８の状態から９０度回転した状態、すなわち基端部が吸込具本体７に対して水平左斜め後方に向くまで回転可能となっている。ここで、例えば図２から図６に示すように、継手８の基端部が左右方向に傾かずに斜め上後方に向いている状態を基準状態とする。継手８は、例えばこの基準状態から、左右方向にそれぞれ９０度ずつ回転可能に形成される。
【００４３】
また上ケース体１０は、一例として、半円筒状の上接続部２３を有していてもよい。上ケース体１０は、一例として、後部の中央部に上接続部２３を有する。上接続部２３は、下ケース体９の本体円筒部２０を上方から覆う。上接続部２３は、本体円筒部２０とともに、継手８に接続される部位である。
【００４４】
本実施の形態において、レバー保持部１６は、上接続部２３に対して、長手方向外側に位置する。着脱レバー１５は、上接続部２３に対して、長手方向外側に配置される。
【００４５】
また上ケース体１０の後部には、例えば図３から図５に示すように、手掛部２４が形成されてもよい。使用者は、着脱レバー１５によって上ケース体１０を着脱させる際に、この手掛部２４を持って上ケース体１０を下ケース体９に対して着脱させることができる。
【００４６】
手掛部２４は、例えば上下方向に扁平な板状の部位である。板状の手掛部２４は、例えば左右方向、すなわち長手方向に伸びるように形成される。また手掛部２４は、例えば着脱レバー１５と上接続部２３との間に形成される。本実施の形態において手掛部２４は、上接続部２３に連なっている。
【００４７】
次に、吸込具６の内部の構造について、図面を参照してより具体的に説明する。図９は、実施の形態１の上ケース体１０の後部が取り外された状態の吸込具６を示す斜視図である。図１０は、実施の形態１の上ケース体１０が取り外された吸込具６を示す斜視図である。図１１は、実施の形態１の上ケース体１０が取り外された吸込具６の後方分解斜視図である。また図１２は、実施の形態１の上ケース体１０が取り外された吸込具６の前方分解斜視図である。
【００４８】
吸込具６は、図９から図１２に示すように、一例として回転ブラシ２５を備える。回転ブラシ２５は、被清掃物に付着した塵埃をかき出すためのものである。回転ブラシ２５は、ブラシ軸２５ａを有する。ブラシ軸２５ａは、回転ブラシ２５の回転軸となる部分である。またブラシ軸２５ａには、第１歯車２６が設けられる。第１歯車２６は、例えばブラシ軸２５ａの一端部と他端部とに設けられる。回転ブラシ２５及び第１歯車２６は、下ケース体９と上ケース体１０とが組み合わされることによって保持される。
【００４９】
また吸込具６は、図９から図１２に示すように、車輪２７を備える。吸込具６は、例えば車輪２７を２つ備える。車輪２７には、車軸２７ａが設けられる。車軸２７ａは、車輪２７と一体となって回転する部位である。なお車輪２７と車軸２７ａとは、１つの部品として一体的に形成されていてもよい
【００５０】
図１３は、実施の形態１の継手８が接続された下ケース体９を示す平面図である。言い換えると図１３は、吸込具６から上ケース体１０、回転ブラシ２５、第１歯車２６、車輪２７、車軸２７ａ及び第２歯車２８が取り外された状態を示している。
【００５１】
図９から図１３に示すように、下ケース体９は、下ケース体９と一体に形成される下車輪保持部２９を有する。下車輪保持部２９は、車輪２７を保持するための部位である。下車輪保持部２９は、例えば２つ形成される。下車輪保持部２９は、車輪２７の下側部分を囲うように形成される。下車輪保持部２９は、例えば図９から図１３に示すように、枠状の部位である。一例として下車輪保持部２９は、車輪２７の前方、後方、左方及び右方に位置する壁状の部材によって形成される。下車輪保持部２９は、例えば上下方向に伸びる壁状の部材によって形成される。
【００５２】
本実施の形態において下車輪保持部２９には、一例として凹部２９ａが一体で形成されている。凹部２９ａは、例えば下車輪保持部２９の右部と左部とに形成される。凹部２９ａは、車軸２７ａが収められる部位である。
【００５３】
底面１１には、一例として車輪突出口３０が開口している。車輪突出口３０は、下車輪保持部２９の下方に形成される。下車輪保持部２９に設けられた車輪２７は、例えば図５及び図６に示すように、一部が車輪突出口３０から下方に突出している。すなわち車輪２７は、底面１１に接する仮想平面Ｂから少なくとも一部が突出している。
【００５４】
また下ケース体９は、図９から図１３に示すように、下歯車保持部３１を有する。下歯車保持部３１は、第１歯車２６及び第２歯車２８の下部が収められる部位である。下歯車保持部３１は、例えば上下方向に伸びる壁状の部材によって形成される枠状の部位である。下歯車保持部３１には、第１歯車２６と第２歯車２８とが、互い噛み合った状態で収められる。これにより、回転ブラシ２５と車輪２７とが連動する。
【００５５】
上述のように、本実施の形態において本体円筒部２０は、下ケース体９の一部として形成される。この本体円筒部２０には、図１２及び図１３に示すように、前方に向く開口２０ａが形成されている。上述したように吸込具本体７の内部には、吸込口１２から本体円筒部２０にかけて風路が形成されている。上ケース体１０が下ケース体９に取り付けられた状態で、開口２０ａは、吸込口１２と連通している。
【００５６】
本実施の形態の下ケース体９は、図９から図１３に示すように、下壁部３２を有する。下壁部３２は、例えば上下方向に伸びる壁状の部材によって形成される。下壁部３２は、吸込口１２から開口２０ａにかけて形成される。下壁部３２は、吸込口１２と開口２０ａとを繋ぐように形成される。下壁部３２は、例えば図１３に示すように、平面視において吸込口１２を囲うように配置される。
【００５７】
一例として回転ブラシ２５は、図１２に示すように下壁部３２に設けられてもよい。回転ブラシ２５は、例えば図６に示すように、吸込口１２から一部が露出するように設けられる。また下壁部３２には、ブラシ保持凹部３２ａが形成されてもよい。ブラシ保持凹部３２ａは、ブラシ軸２５ａが収められる凹型の部分である。下壁部３２に設けられた回転ブラシ２５は、下ケース体９に対して上ケース体１０が取り外された状態では、着脱自在となっている。
【００５８】
また図９から図１３に示すように、下ケース体９は、一例としてレバー受部９ａを有する。レバー受部９ａは、着脱レバー１５が着脱自在に嵌め込まれる爪状の部分である。レバー受部９ａは、例えば下ケース体９の後部左側及び後部右側に形成される。レバー受部９ａは、着脱レバー１５の位置に合わせて配置される。またレバー受部９ａは、着脱レバー１５の形状に合わせた形状に形成される。
【００５９】
着脱レバー１５及びレバー保持部１６は、例えば着脱レバー１５が長手方向に沿って移動できるように形成される。着脱レバー１５は、例えばレバー保持部１６内で長手方向に沿って移動することで、レバー受部９ａに着脱される。使用者は、着脱レバー１５をレバー受部９ａに着脱させることによって、上ケース体１０を下ケース体９に対して着脱させる。
【００６０】
また下ケース体９の全体の外形は、例えば図１１及び図１２に示すように、上方に凹な形状となっている。本実施の形態の下ケース体９は、下ケース体縁部３３を有する。下ケース体縁部３３は、下ケース体９の縁の部分である。下ケース体縁部３３は、壁状の部位である。下ケース体縁部３３は、平面視における下ケース体９の外周部を形成する。
【００６１】
ここで、上ケース体１０について、図面を参照してより具体的に説明する。図１４は、実施の形態１の上ケース体１０の底面図である。図１５は、実施の形態１の上ケース体１０の上面側を示す斜視図である。また図１６は、実施の形態１の上ケース体の底面側を示す斜視図である。
【００６２】
図１４及び図１６に示すように、上ケース体１０は、上ケース体１０と一体に形成される上車輪保持部３４を有する。上車輪保持部３４は、車輪２７を保持するための部位である。上車輪保持部３４は、例えば２つ形成される。上車輪保持部３４は、車輪２７の上側部分を囲うように形成される。上車輪保持部３４は、例えば図１４及び図１６に示すように、枠状の部位である。一例として上車輪保持部３４は、車輪２７の前方、後方、左方及び右方に位置する壁状の部材によって形成される。上車輪保持部３４は、例えば上下方向に伸びる壁状の部材によって形成される。
【００６３】
上車輪保持部３４は、下車輪保持部２９と対向する。上ケース体１０が下ケース体９に対して取り付けられると、上車輪保持部３４は下車輪保持部２９と組み合わされる。車輪２７は、上車輪保持部３４と下車輪保持部２９とが組み合わされることによって保持される。
【００６４】
また上車輪保持部３４には、一例として図１６に示すように、凸部３４ａが一体で形成されていてもよい。凸部３４ａは、例えば上車輪保持部３４の右部と左部とに形成される。凸部３４ａは、凹部２９ａと対向する。上ケース体１０が下ケース体９に対して取り付けられると、凸部３４ａは凹部２９ａと組み合わされる。凹部２９ａに収められた車軸２７ａは、凹部２９ａと凸部３４ａとによって挟まれた状態で保持される。また上ケース体１０が下ケース体９から取り外されると、車輪２７及び車軸２７ａは着脱自在になる。
【００６５】
上ケース体１０は、図１４及び図１６に示すように、上歯車保持部３５を有する。上歯車保持部３５は、第１歯車２６及び第２歯車２８の上部が収められる部位である。上歯車保持部３５は、例えば上下方向に伸びる壁状の部材によって形成される枠状の部位である。上歯車保持部３５は、下歯車保持部３１と対向する。上ケース体１０が下ケース体９に対して取り付けられると、上歯車保持部３５は下歯車保持部３１組み合わされる。第１歯車２６及び第２歯車２８は、上歯車保持部３５と下歯車保持部３１とが組み合わされることによって保持される。
【００６６】
また上ケース体１０は、図１４及び図１６に示すように、上壁部３６を有する。上壁部３６は、例えば上下方向に伸びる壁状の部材によって形成される。上壁部３６は、図１４及び図１６に示すように、下壁部３２と対向するように形成される。上壁部３６は、下壁部３２と組み合わさることによって、吸込具本体７の内部に風路を形成する部位である。
【００６７】
図１７は、実施の形態１の吸込具６の内部の風路を示す断面イメージ図である。上ケース体１０が下ケース体９に対して取り付けられると、上壁部３６は下壁部３２と組み合わされる。上壁部３６と下壁部３２とが組み合わされることによって、例えば図１７に示すように、吸込口１２から開口２０ａにかけて吸込風路３７が形成される。また、この吸込風路３７は、例えば図９から図１６に示すように、上ケース体１０が下ケース体９に対して取り外されることによって開放される。
【００６８】
また上ケース体１０の全体の外形は、例えば図１４から図１７に示すように、下方に凹な形状となっている。本実施の形態の上ケース体１０は、上ケース体縁部３８を有する。上ケース体縁部３８は、上ケース体１０の縁の部分である。上ケース体縁部３８は、壁状の部位である。上ケース体縁部３８は、平面視における上ケース体１０の外周部を形成する。本実施の形態の吸込具６において、上ケース体１０は、例えば図３から図９に示すように、上ケース体縁部３８が下ケース体縁部３３によって外周を覆われるように設けられる。
【００６９】
また上述のように、下ケース体９及び上ケース体１０の前部は、平面視において円弧状である。上ケース体１０は、例えば図１４から図１６に示すように、前側爪部３９を円弧状の前部の中央部に有してもよい。前側爪部３９は、一例として前方に突出する部分を有する。また下ケース体９は、例えば図１０から図１３に示すように、前側爪受部４０を円弧状の前部の中央部に有してもよい。前側爪受部４０は、前側爪部３９が嵌め込まれる部位である。下ケース体９と上ケース体１０とは、例えば前側爪部３９が前側爪受部４０に嵌め込まれることによって固定される。
【００７０】
図１８は、実施の形態１の吸込具６が平坦面Ａに置かれた状態を示す側面図である。図１８において、平坦面Ａを太線で示す。図１８において、底面１１に接する仮想平面Ｂを破線で示す。また図１９は、実施の形態１の吸込具６が平坦面に置かれた状態を示す縦断面イメージ図である。
【００７１】
図２０は、実施の形態１の吸込具６が平坦面に置かれた状態での車軸２７ａ周辺を示す縦断面イメージ図である。図２０は、図１９における車軸２７ａ周辺を拡大したものに相当する。また図２１は、実施の形態１の上ケース体１０が取り外された吸込具６が平坦面に置かれた状態での車軸２７ａ周辺を示す縦断面イメージ図である。図２０及び図２１において、凹部２９ａの上端Ｃを、一点鎖線で示す。
【００７２】
本実施の形態の吸込具６が平坦面Ａに置かれたとき、一例として、高さ増加リブ１４、車輪２７及び継手８が平坦面Ａに接する。高さ増加リブ１４、車輪２７及び継手８は、一例として図１８及び図１９に示すように、吸込具本体７の前方から後方に向かって順に配置されている。
【００７３】
高さ増加リブ１４及び車輪２７が底面１１に対して突出している方向、すなわち底面１１が向く方向を、一側方向とする。図１８に示すように、高さ増加リブ１４は、少なくとも一部が仮想平面Ｂから一側に突出している。また車輪２７も、少なくとも一部が仮想平面Ｂから一側に突出している。
【００７４】
本実施の形態の高さ増加リブ１４が仮想平面Ｂから一側方向に突出している長さは、一例として、車輪２７が仮想平面Ｂから一側方向に突出している長さよりも大きい。これにより仮想平面Ｂ及び底面１１は、図１８に示すように、平坦面Ａに対して傾斜する。一例として仮想平面Ｂ及び底面１１は、後方から前方にかけて上方に傾斜している。
【００７５】
また図１９及び図２０に示すように、車軸２７ａは、凹部２９ａと凸部３４ａとに挟まれた状態で保持される。図２１に示すように、凹部２９ａの上部には、凸部３４ａが収められる空間４１が形成される。
【００７６】
上記実施例の吸込具６は、吸込具本体７を備える。吸込具本体７は、下ケース体９及び上ケース体１０を有する。上ケース体１０は下ケース体９に対して着脱自在である。また吸込具６は、車輪２７を備える。車輪２７は、上ケース体１０及び下ケース体９によって、吸込具本体７に対して保持される。この車輪２７は、下ケース体９に対して上ケース体１０が取り外されると着脱自在となるように設けられている。上記実施例であれば。車輪２７が容易に着脱可能な吸込具６及びこの吸込具６を備え得た電気掃除機が得られる。
【００７７】
また下ケース体９は、突出部の一例である高さ増加リブ１４を有する。高さ増加リブ１４は、仮想平面Ｂから一部が突出している。これにより、例えば上ケース体１０が取り外された下ケース体９が平坦面Ａに置かれたときに車輪２７が下ケース体９に対して上方に移動する量が少なくなる。これにより、上ケース体１０の組み付けがより容易な吸込具６及びこの吸込具６を備えた電気掃除機が得られる。
【００７８】
なお仮想平面Ｂから一部が突出する突出部は、上記実施例の高さ増加リブ１４に限られない。例えば、突出部は、リブ状の部分でなくてもよい。また突出部は、吸着防止リブ１３と並んで配置されていなくてもよい。
【００７９】
上記実施例において突出部の一例である高さ増加リブ１４は、吸着防止リブ１３に並んで配置される。高さ増加リブ１４は、吸着防止リブ１３とともに、被清掃物と底面１１との間に隙間を形成する。高さ増加リブ１４は、吸着防止リブ１３とともに、被清掃物が吸込口１２に吸着されることを防止する。上記実施例であれば、必要以上に無駄な構成部品を追加することなく、上ケース体１０の組み付けがより容易な吸込具６が得られる。
【００８０】
また上記実施例においては、高さ増加リブ１４が仮想平面Ｂから一側方向に突出している長さは、車輪２７が仮想平面Ｂから一側方向に突出している長さよりも大きい。これにより、例えば上ケース体１０が取り外された下ケース体９が平坦面Ａに置かれたときに車輪２７が下ケース体９に対して上方に移動する量がより少なくなる。上記実施例であれば、上ケース体１０の組み付けがより容易な吸込具６が得られる。
【００８１】
上記実施例において、吸込具６が平坦面Ａに置かれたとき、高さ増加リブ１４及び車輪２７は平坦面Ａに接する。突出部の一例である高さ増加リブ１４は、例えば平坦面Ａに置かれたときに車輪２７が平坦面から離れるように形成されてもよい。本例の場合、例えば上ケース体１０が取り外された下ケース体９が平坦面Ａに置かれたとき、車輪２７は下ケース体９に対して上方に移動しない。本例であれば、上ケース体１０の組み付けがさらに容易な吸込具６が得られる。
【００８２】
また突出部の一例である高さ増加リブ１４は、上ケース体１０が取り外された下ケース体９が平坦面に置かれたときに車軸２７ａの上端が凹部２９ａの上端Ｃよりも下方に位置するように形成されてもよい。車軸２７ａが凹部２９ａから上方にはみ出さないことによって、凸部３４ａは、凹部２９ａに組み合わされやすくなる。本例であれば、上ケース体１０の組み付けがさらに容易な吸込具６が得られる。
【００８３】
また高さ増加リブ１４は、上ケース体１０が取り外された下ケース体９が平坦面に置かれたとき、車軸２７ａの上端が空間４１の下方に位置するように形成されてもよい。本例であれば、例えば上ケース体１０を下ケース体９に対して取り付ける際、凸部３４ａは車軸２７ａ妨げられることなく凹部２９ａに組み付けられる。
【符号の説明】
【００８４】
１  掃除機本体、  ２  吸引ホース、  ３  接続パイプ、  ４  ハンドル体、  ５  延長管、  ６  吸込具、  ７  吸込具本体、  ８  継手、  ９  下ケース体、  ９ａ  レバー受部、  １０  上ケース体、  １１  底面、  １２  吸込口、  １３  吸着防止リブ、  １４  高さ増加リブ、  １５  着脱レバー、  １６  レバー保持部、  １７  吸込力調整孔、  １８  継手円筒部、  １９  抜止片、  ２０  本体円筒部、  ２０ａ  開口、  ２１  溝部、  ２２  孔部、  ２２ａ貫通孔、  ２３  上接続部、  ２４  手掛部、  ２５  回転ブラシ、  ２５ａ  ブラシ軸、  ２６  第１歯車、  ２７  車輪、  ２７ａ  車軸、  ２８  第２歯車、  ２９  下車輪保持部、  ２９ａ  凹部、  ３０  車輪突出口、  ３１  下歯車保持部、  ３２  下壁部、  ３２ａ  ブラシ保持凹部、  ３３  下ケース体縁部、  ３４  上車輪保持部、  ３４ａ  凸部、  ３５  上歯車保持部、  ３６  上壁部、  ３７  吸込風路、  ３８  上ケース体縁部、  ３９  前側爪部、  ４０  前側爪受部、  ４１  空間
【図１】
0006701897.tif 000002
【図２】
0006701897.tif 000003
【図３】
0006701897.tif 000004
【図４】
0006701897.tif 000005
【図５】
0006701897.tif 000006
【図６】
0006701897.tif 000007
【図７】
0006701897.tif 000008
【図８】
0006701897.tif 000009
【図９】
0006701897.tif 000010
【図１０】
0006701897.tif 000011
【図１１】
0006701897.tif 000012
【図１２】
0006701897.tif 000013
【図１３】
0006701897.tif 000014
【図１４】
0006701897.tif 000015
【図１５】
0006701897.tif 000016
【図１６】
0006701897.tif 000017
【図１７】
0006701897.tif 000018
【図１８】
0006701897.tif 000019
【図１９】
0006701897.tif 000020
【図２０】
0006701897.tif 000021
【図２１】
0006701897.tif 000022